(57)【要約】【課題】  簡単な機構で光軸位置を容易且つ確実に調整することができるランプユニット及びそれを備えたプロジェクタ装置を提供する。【解決手段】  本発明は、プロジェクタ装置に使用されるランプユニット（２）である。本発明のランプユニットは、光源ランプ（１４）を備えたランプアセンブリと、このランプアセンブリを所定の軸線の方向に平行移動可能に支持するホルダ部材（１８）と、このホルダ部材を所定の軸線を中心に回動可能に支持するベース部材（２０）と、ランプアセンブリの所定の軸線の方向の位置を、ベース部材のホルダ部材支持面の反対側から調整することができるように構成された平行位置調整手段（３２、４０）と、ランプアセンブリの所定の軸線を中心とした回動位置を、ベース部材のホルダ部材支持面の反対側から調整することができるように構成された回動位置調整手段（１８ｉ）と、を有することを特徴としている。【選択図】      図２
2005077621.tif 000002
【特許請求の範囲】
【請求項１】
プロジェクタ装置に使用されるランプユニットであって、
光源ランプを備えたランプアセンブリと、
このランプアセンブリを所定の軸線の方向に平行移動可能に支持するホルダ部材と、
このホルダ部材を前記所定の軸線を中心に回動可能に、ホルダ部材支持面上に支持するベース部材と、
前記ランプアセンブリの前記所定の軸線の方向の位置を、前記ベース部材の前記ホルダ部材支持面の反対側から調整することができるように構成された平行位置調整手段と、
前記ランプアセンブリの前記所定の軸線を中心とした回動位置を、前記ベース部材の前記ホルダ部材支持面の反対側から調整することができるように構成された回動位置調整手段と、
を有することを特徴とするランプユニット。
【請求項２】
前記回動位置調整手段が、前記ホルダ部材から前記ベース部材を貫いて前記ホルダ部材支持面の反対側へ延びる調整突起である請求項１記載のランプユニット。
【請求項３】
前記平行位置調整手段が、前記ランプアセンブリを前記所定の軸線の方向に付勢する付勢バネと、前記ランプアセンブリを前記所定の軸線の方向に押す調整ネジによって構成されている請求項１又は請求項２に記載のランプユニット。
【請求項４】
さらに、前記ランプアセンブリのランプを保護する前面ガラスを有し、この前面ガラスが、前記ホルダ部材と前記ランプアセンブリとの間に挟まれて保持される請求項１乃至３の何れか１項に記載のランプユニット。
【請求項５】
光源光を射出するランプユニットと、
このランプユニットが射出した光を変調する変調光学系と、
この変調光学系によって変調された光をスクリーンに投写する投写レンズと、を有し、
前記ランプユニットが、
光源ランプを備えたランプアセンブリと、
このランプアセンブリを所定の軸線の方向に平行移動可能に支持するホルダ部材と、
このホルダ部材を前記所定の軸線を中心に回動可能に、ホルダ部材支持面上に支持するベース部材と、
前記ランプアセンブリの前記所定の軸線の方向の位置を、前記ベース部材の前記ホルダ部材支持面の反対側から調整することができるように構成された平行位置調整手段と、
前記ランプアセンブリの前記所定の軸線を中心とした回動位置を、前記ベース部材の前記ホルダ部材支持面の反対側から調整することができるように構成された回動位置調整手段と、
を有することを特徴とするプロジェクタ装置。
【発明の詳細な説明】
【技術分野】
【０００１】
本発明は、プロジェクタ装置及びそれに使用されるランプユニットに係り、特に、簡単な機構で光軸位置を容易且つ確実に調整することができるランプユニットと、それを使用したプロジェクタに関する。
【背景技術】
【０００２】
特開２００１−３３０８８９号公報（特許文献１）には、投写型表示装置が記載されている。このプロジェクタ装置である投写型表示装置においては、光源ランプを円周上に配置された３つの凸部に当接するように支持すると共に、光源ランプの円弧状の壁面がＶ字形に形成された部材に押し付けられるように支持することによって、光源ランプをランプホルダーに対して位置決めしている。
【０００３】
一方、特開２００３−２１８６７号公報（特許文献２）には、ランプ取付角度調整機構付きプロジェクタ装置が記載されている。このプロジェクタ装置では、光源ランプが鉛直軸線及び水平軸線を中心に夫々回動可能に支持されている。このプロジェクタ装置においては、光源ランプの上下方向の角度を調整する場合には、角度調整用ネジの螺入量を変化させ、左右方向の角度を調整する場合には、角度調整用ネジを円弧状の長穴に沿って移動させている。
【０００４】
【特許文献１】特開２００１−３３０８８９号公報
【特許文献２】特開２００３−２１８６７号公報
【発明の開示】
【発明が解決しようとする課題】
【０００５】
しかしながら、特許文献１に記載のプロジェクタ装置では、光源ランプの光軸の位置を調整する手段がないため、光源ランプを位置決めするための何れかの部材の寸法・形状に誤差があった場合に、光軸を適正な位置に設定することができないという問題がある。
【０００６】
また、特許文献２に記載のプロジェクタ装置では、光軸の調整は可能であるものの、光軸の調整機構が複雑であるという問題がある。また、このプロジェクタ装置では、光源ランプの角度を調整することは可能であるが、光源ランプの調整された位置に光源ランプを固定する手段がないという問題もある。
【０００７】
従って、本発明は、簡単な機構で光軸位置を容易且つ確実に調整することができるランプユニット及びそれを備えたプロジェクタ装置を提供することを目的としている。
【課題を解決するための手段】
【０００８】
上記の目的を達成するために、本発明は、プロジェクタ装置に使用されるランプユニットであって、光源ランプを備えたランプアセンブリと、このランプアセンブリを所定の軸線の方向に平行移動可能に支持するホルダ部材と、このホルダ部材を所定の軸線を中心に回動可能に、ホルダ部材支持面上に支持するベース部材と、ランプアセンブリの所定の軸線の方向の位置を、ベース部材のホルダ部材支持面の反対側から調整することができるように構成された平行位置調整手段と、ランプアセンブリの所定の軸線を中心とした回動位置を、ベース部材のホルダ部材支持面の反対側から調整することができるように構成された回動位置調整手段と、を有することを特徴としている。
【０００９】
このように構成された本発明においては、ランプアセンブリは、ホルダ部材に平行移動可能に支持される。また、ホルダ部材は、ベース部材に対して所定の軸線を中心に回動可能に支持される。ホルダ部材が回動する所定の軸線は、ランプアセンブリが平行移動する方向と一致している。ランプアセンブリの位置は、平行位置調整手段によって、ベース部材がホルダ部材を支持している面の反対側から調整することができる。また、ホルダ部材の回動位置は、回動位置調整手段によって、ホルダ部材支持面の反対側から調整することができる。
このように構成された本発明によれば、簡単な機構で光源ランプの光軸位置を調整することができる。また、このように構成された本発明によれば、平行位置及び回動位置の両方を、ホルダ部材支持面の反対側から調整することができる。
【００１０】
本発明において、好ましくは、回動位置調整手段は、ホルダ部材からベース部材を貫いてホルダ部材支持面の反対側へ延びる調整突起である。
このように構成された本発明においては、ホルダ部材支持面の反対側から調整突起を操作することによってホルダ部材の回動位置を調整することができる。
【００１１】
本発明において、好ましくは、平行位置調整手段は、ランプアセンブリを所定の軸線の方向に付勢する付勢バネと、ランプアセンブリを所定の軸線の方向に押す調整ネジによって構成されている。
このように構成された本発明においては、調整ネジを締めると、ランプアセンブリは、付勢バネによる付勢に抗して、調整ネジの進む方向に平行移動し、調整ネジを緩めると、ランプアセンブリは、付勢バネによって付勢されている方向に平行移動する。
【００１２】
本発明において、好ましくは、さらに、ランプアセンブリのランプを保護する前面ガラスを有し、この前面ガラスは、ホルダ部材とランプアセンブリとの間に挟まれて保持される。
このように構成された本発明においては、接着剤等の特別な固定手段を使用することなく前面ガラスを保持することができるので、ランプユニットの組立効率を向上させることができる。
【００１３】
また、本発明のプロジェクタ装置は、光源光を射出するランプユニットと、このランプユニットが射出した光を変調する変調光学系と、この変調光学系によって変調された光をスクリーンに投写する投写レンズと、を有し、ランプユニットが、光源ランプを備えたランプアセンブリと、このランプアセンブリを所定の軸線の方向に平行移動可能に支持するホルダ部材と、このホルダ部材を前記所定の軸線を中心に回動可能に、ホルダ部材支持面上に支持するベース部材と、ランプアセンブリの所定の軸線の方向の位置を、ベース部材のホルダ部材支持面の反対側から調整することができるように構成された平行位置調整手段と、ランプアセンブリの所定の軸線を中心とした回動位置を、ベース部材のホルダ部材支持面の反対側から調整することができるように構成された回動位置調整手段と、を有することを特徴としている。
【発明の効果】
【００１４】
本発明のランプユニット及びそれを備えたプロジェクタ装置によれば、簡単な機構で光軸位置を容易且つ確実に調整することができる。
【発明を実施するための最良の形態】
【００１５】
次に、添付図面を参照して、本発明の実施形態を説明する。図１は本発明の実施形態のプロジェクタ装置全体を示す断面図である。図２は本発明の実施形態のプロジェクタ装置に使用されているランプユニットの分解斜視図である。図３はランプユニットを組立てた状態を示す斜視図である。
【００１６】
図１に示すように、本発明の実施形態のプロジェクタ装置１は、筐体１ａと、ランプユニット２と、このランプユニットが射出した光を導く導光光学系である３枚のダイクロイックミラー４ａ、４ｂ、４ｃ及び２枚のミラー６ａ、６ｂと、導光光学系によって導かれた光を変調する変調光学系である３枚の液晶板８ａ、８ｂ、８ｃと、この変調光学系で変調された光を合成する合成光学系であるダイクロイックプリズム１０と、このダイクロイックプリズム１０で合成された光をスクリーンに投射する投写レンズ１２と、を有する。
ランプユニット２は、プロジェクタ装置の光源となる光を射出するように構成されている。その詳細については後述する。
【００１７】
ダイクロイックミラー４ａは、ランプユニット２から射出された光の赤色成分を反射してミラー６ａの方に差し向け、光の他の色成分を透過させるように構成され、配置されている。ダイクロイックミラー４ｂは、ダイクロイックミラー４ａが透過した光の緑色成分を反射して液晶板８ｂの方へ差し向け、光の他の色の成分を透過するように構成され、配置されている。ダイクロイックミラー４ｃは、ダイクロイックミラー４ｂが透過した光の成分である青色成分を反射してミラー６ｂの方に差し向けるように構成され、配置されている。
ミラー６ａは、ダイクロイックミラー４ａによって反射された光の赤色成分を反射して、液晶板８ａに差し向けるように配置されている。ミラー６ｂは、ダイクロイックミラー４ｃによって反射された光の青色成分を反射して、液晶板８ｃに差し向けるように配置されている。
【００１８】
液晶板８ａは、ミラー６ａによって反射された赤色光を変調して、ダイクロイックプリズム１０に入射させるように構成され、配置されている。液晶板８ｂは、ダイクロイックミラー４ｂによって反射された緑色光を変調して、ダイクロイックプリズム１０に入射させるように構成され、配置されている。液晶板８ｃは、ミラー６ｂによって反射された青色光を変調して、ダイクロイックプリズム１０に入射させるように構成され、配置されている。
ダイクロイックプリズム１０は、液晶板８ａによって変調された赤色光を反射して投写レンズ１２の方へ差し向け、液晶板８ｂによって変調された緑色光を透過して投写レンズ１２の方へ差し向け、液晶板８ｃによって変調された青色光を反射して投写レンズ１２の方へ差し向けるように構成され、配置されている。
【００１９】
投写レンズ１２は、ダイクロイックプリズム１０によって反射、又は透過された光をスクリーン（図示せず）に投写するように構成され、配置されている。
次に、ランプユニット２の構成を説明する。図２及び図３に示すように、ランプユニット２は、光源ランプ１４と、この光源ランプ１４の前面に取付けられるランプケース１６と、このランプケース１６を平行移動可能に支持するホルダ部材１８と、このホルダ部材１８を回動可能に支持するベース部材２０と、を有する。
プロジェクタ装置１の光源となる光を射出する光源ランプ１４は、本実施形態においては高圧水銀ランプを使用している。
【００２０】
ランプケース１６は、光源ランプ１４を受け入れる後半部１６ａと、ホルダ部材１８に支持される前半部１６ｂと、を有する。ランプケース１６の後半部１６ａは、全体として概ね正方形の板状であり、中央に光源ランプ１４からの光が通る円形の穴が設けられている。また、後半部１６ａの背面側には、光源ランプ１４のフレームをガタなく受け入れる、凹部（図示せず）が構成されている。光源ランプ１４は、後半部１６ａの背面側の凹部（図示せず）に受け入れられ、２つの押え金具２６及び２本の固定ネジ２４によってランプケース１６の後半部１６ａに固定されている。これにより、光源ランプ１４がランプケース１６に対して位置決めされ、固定される。光源ランプ１４をランプケース１６に取付けたものは、ランプアセンブリを構成する。ランプケース１６の前半部１６ｂは、全体として概ね正方形の板状であり、中央に光源ランプ１４からの光が通る円形の穴が設けられている。また、前半部１６ｂの正方形の各辺の中央部には、通気性を確保するための穴１６ｃが構成されている。さらに、前半部１６ｂの２つの側面には、ランプケース１６がホルダ部材１８によって平行移動可能に支持されるための突起１６ｄが夫々２ずつ設けられている（片側の２つのみ図示）。
【００２１】
ホルダ部材１８は、全体としてコの字形に曲げられた板状であり、その向い合う平行面の間にガタなくランプケース１６の前半部１６ｂを受け入れることができるような寸法に形成されている。ホルダ部材１８の平行面には、ランプケース１６の前半部１６ｂの側面に設けられた突起１６ｄを受け入れるためのガイド長穴１８ａが夫々２つずつ形成されている。これらのガイド長穴１８ａが、４つの突起１６ｄを夫々受け入れることにより、ランプケース１６はホルダ部材１８に対して平行に移動するようにガイドされる。さらに、ネジ３６が、ホルダ部材１８の平行面に夫々設けられた穴１８ｃを通して、前半部１６ｂの側面に夫々設けられた雌ネジ穴１６ｅに螺合され、ランプケース１６をホルダ部材１８に固定する。ただし、ネジ３６はランプケース１６の平行移動を許容する程度に締付けられている。また、ホルダ部材１８の平行面の中央付近には、光源ランプ１４の熱を逃すための多数の小孔１８ｂが夫々形成されている。さらに、ホルダ部材１８の各平行面の中央付近から、クランプ部１８ｇが夫々内方に向けて延びている。このクランプ部１８ｇとランプケース１６との間に、光源ランプ１４の光を透過させる円形の前面ガラス２２が挟み付けられて固定されている。また、ホルダ部材１８の各平行面の先端は、内方に向けて９０゜折り曲げられている。また、ホルダ部材１８の２つの平行面の間の中央面には、ほぼ円形の大径穴１８ｄが開けられており、この穴１８ｄの内方に向けて長方形の舌部１８ｅが突出している。
【００２２】
ベース部材２０は、ほぼ長方形の板状であり、ホルダ部材１８を回動可能に支持するホルダ部材支持面２０ａと、その裏側の面とを有する。ベース部材２０のホルダ部材支持面２０ａには、ホルダ部材１８に形成された大径穴１８ｄにガタなく受け入れられるほぼ円形の円形隆起部２０ｂが形成されている。また、円形隆起部２０ｂは、ホルダ部材支持面２０ａからその裏側の面に張り出した凹部２０ｃによって長方形状に切り欠かれており、この切り欠き部分が、ホルダ部材１８の舌部１８ｅを受け入れる。これにより、ホルダ部材１８は、ベース部材２０のホルダ部材支持面２０ａ上に、円形隆起部２０ｂの中心軸線を中心に回動可能に支持される。ホルダ部材１８の大径穴１８ｄ及びベース部材２０の円形隆起部２０ｂは、回動位置調整手段を構成する。また、ホルダ部材１８の舌部１８ｅが円形隆起部２０ｂの切り欠き部分に受け入れられているため、ホルダ部材１８の回動可能範囲は、所定の角度に制限される。さらに、２本のネジ４２が、ベース部材２０に形成された２つの長穴２０ｄを通して、ホルダ部材１８の大径穴１８ｄの両側に夫々形成された雌ねじ穴１８ｆに夫々螺合され、ホルダ部材１８はベース部材２０に固定される。また、円形隆起部２０ｂの背面側には、調整長穴２０ｆが形成されており、この調整長穴２０ｆには、ホルダ部材１８の大径穴１８ｄの背面側からベース部材２０に向けて突出する回動位置調整手段である調整突起１８ｉが通されている。さらに、ベース部材２０のホルダ部材支持面２０ａには、コネクタ支持部２０ｅが設けられている。また、光源ランプ１４に電力を供給するための電線のコネクタ２８が、２本のネジ３０によってコネクタ支持部２０ｅに取付けられる。さらに、ベース部材２０の裏側の面には、ランプユニット２をプロジェクタ装置１の筐体から取外すときの引き手３８が取付けられている。
【００２３】
次に、ランプユニット２の光軸を調整する機構を説明する。ランプケース１６の前判部１６ｂの、ベース部材２０の反対側に位置する側面には、付勢バネである板バネ３２が２本のネジ３４によって取付けられている。板バネ３２の中央部には通気性を確保するための多数の小孔３２ａが設けられており、その両側がネジ３４によってランプケース１６に固定されている。また、板バネ３２の両端部はランプケース１６から離れる方向に夫々曲げられており、この両端部がホルダ部材１８の９０゜折り曲げられた先端に係合している。この板バネ３２の弾性回復力により、ランプケース１６はホルダ部材１８に対して、図２における下方に付勢されている。さらに、ホルダ部材１８の大径穴１８ｄの両側には雌ねじ穴１８ｈが夫々形成されており、この雌ねじ穴１８ｈには調整ネジ４０が夫々螺合されている。また、２つの雌ねじ穴１８ｈの位置は、ベース部材２０の２つの穴２０ｇと夫々整合しているので、穴２０ｇを介して、調整ネジ４０をホルダ部材支持面２０ａの裏側から調整することができる。調整ネジ４０を締めると、調整ネジ４０の先端がランプケース１６の前半部１６ｂを押し、ランプケース１６が図２における上方に移動される。また、調整ネジ４０を緩めると、板バネ３２の付勢により、ランプケース１６が下方に移動される。これにより、ランプケース１６のホルダ部材１８に対する位置を調整することができる。板バネ３２及び調整ネジ４０は、平行位置調整手段を構成する。
【００２４】
次に、本発明の実施形態のプロジェクタ装置１の作用を説明する。まず、ランプユニット２の光源ランプ１４から射出された光は、ダイクロイックミラー４ａに入射する。ダイクロイックミラー４ａは、光源ランプ１４から射出された光の赤色成分を、ミラー６ａへ向けて反射させる。ミラー６ａに入射した赤色光は、反射されて液晶板８ａに入射する。液晶板８ａは、入射した赤色光を、プロジェクタ装置１が表示すべき画像の赤色成分の像に変調して、ダイクロイックプリズム１０に透過させる。ダイクロイックプリズム１０に入射した赤色光は、９０゜偏向され、投写レンズ１２によってスクリーン（図示せず）に投写される。一方、ダイクロイックミラー４ａによって透過された赤色成分以外の光は、ダイクロイックミラー４ｂに入射する。ダイクロイックミラー４ｂに入射した光の緑色成分は、ダイクロイックミラー４ｂによって液晶板８ｂに向けて反射される。液晶板８ｂは、入射した緑色光を、緑色成分の像に変調して、ダイクロイックプリズム１０に透過させる。ダイクロイックプリズム１０に入射した緑色光は、そのまま透過され、投写レンズ１２によってスクリーン（図示せず）に投写される。また、ダイクロイックミラー４ｂを透過した、赤色、緑色以外の光の成分である青色光は、ダイクロイックミラー４ｃによって、ミラー６ｂに向けて反射される。ミラー６ｂに入射した青色光は、液晶板８ｃに向けて反射される。液晶板８ｃは、入射した青色光を、青色成分の像に変調して、ダイクロイックプリズム１０に透過させる。ダイクロイックプリズム１０に入射した青色光は、９０゜偏向され、投写レンズ１２によってスクリーン（図示せず）に投写される。各色成分の画像がスクリーン（図示せず）上で合成され、カラー画像が表示される。また、光源ランプ１４の前面側に放射された熱は、ランプケース１６に形成された穴１６ｃを経て、ホルダ部材１８に形成された小孔１８ｂ及び板バネ３２に形成された小孔３２ａを通って発散される。
【００２５】
次に、ランプユニット２における光軸の調整について説明する。まず、図１に示すように、ランプユニット２を、プロジェクタ装置１の筐体１ａに取付ける。この際、ランプユニット２のコネクタ２８に、光源ランプ１４に電力を供給するケーブル（図示せず）を接続する。次に、光源ランプ１４を点灯させて、スクリーン（図示せず）に画像を表示させながら、光源ランプ１４の光軸を調整する。まず、ベース部材２０の調整長穴２０ｆからホルダ部材支持面２０ａの裏側に突出した調整突起１８ｉを移動させることによって、ホルダ部材１８を回動させ、スクリーン（図示せず）に色ムラ等のない適正な画像が表示されるように調整する。即ち、調整突起１８ｉを調整長穴２０ｆの中で移動させると、ホルダ部材１８及びそれに取付けられたランプケース１６、光源ランプ１４が、円形隆起部２０ｂの中心軸線を中心に回動するので、光源ランプ１４の光軸の角度を調整することができる。次に、ホルダ部材１８の２つの雌ねじ穴１８ｈに螺合されている２本の調整ネジ４０を回転させることによって、ランプケース１６及びそれに取付けられている光源ランプ１４を平行移動させる。即ち、２本の調整ネジ４０を締めると、それらの先端が、板バネ３２の付勢に抗してランプケース１６を図２における上方へ押し、ランプケース１６が上方に移動される。逆に、２本の調整ネジ４０を緩めると、ランプケース１６は、板バネ３２の付勢によって図２における下方へ押され、下方に移動される。２本の調整ネジ４０を締め、又は緩めることによって、スクリーン（図示せず）に適正な画像が表示されるように、光源ランプ１４の光軸を平行移動させる。好ましくは、２本の調整ネジ４０が、均等な力でランプケース１６を押圧するように、調整ネジ４０を調整する。更に、光源ランプ１４を回動させる調整と平行移動させる調整を交互に繰り返し、スクリーン（図示せず）に適正な画像が表示されるように調整する。光軸の調整が完了した後、長穴２０ｄを通って、ホルダ部材１８の雌ねじ穴１８ｆに夫々螺合されているネジ４２を締めて、ホルダ部材１８を調整された位置に固定する。
【００２６】
本発明の実施形態のプロジェクタ装置によれば、簡単な機構で光軸位置を容易且つ確実に調整することができる。また、調整突起１８ｉ及び調整ネジ４０は、夫々、ベース部材２０のホルダ部材支持面２０ａの裏側から操作することができるので、ホルダ部材支持面２０ａの裏側からの操作だけで光軸の調整を行うことができる。これにより、ランプユニット２をプロジェクタ装置１の筐体１ａに取付けたままで、即ち、プロジェクタ装置１からスクリーンに画像を投写したまま、画像を確認しながら、光源ランプ１４の光軸を調整することができる。さらに、光源ランプ１４の放熱を確保するために開けられている多数の小孔１８ｂ、３２ａは、十分小さく形成されているので、万一、光源ランプ１４のガラスが破損した場合にも、ガラスの破片が周囲に飛び散るのを防止することができる。また、前面ガラス２２は、ランプケース１６とホルダ部材１８のクランプ部１８ｇとの間に挟持されることによって固定されるので、前面ガラス２２を接着等により固定する必要がなく、ランプユニット２の組立効率を向上させることができる。
【００２７】
以上、本発明の好ましい実施形態を説明したが、上述した実施形態に種々の変更を加えることができる。特に、上述した実施形態のプロジェクタ装置は、変調光学系として透過型液晶板を使用したものであるが、変調光学系として、反射型液晶板、ＤＭＤ（ダイナミックミラーデバイス）等、任意の素子を使用することができる。
【図面の簡単な説明】
【００２８】
【図１】本発明の実施形態のプロジェクタ装置全体を示す断面図である。
【図２】本発明の実施形態のプロジェクタ装置に使用されているランプユニットの分解斜視図である。
【図３】組立てた状態のランプユニットを示す斜視図である。
【符号の説明】
【００２９】
１      本発明の実施形態のプロジェクタ装置
２      ランプユニット
４ａ、４ｂ、４ｃ  ダイクロイックミラー
６ａ、６ｂ  ミラー
８ａ、８ｂ、８ｃ  液晶板
１０    ダイクロイックプリズム
１２    投写レンズ
１４    光源ランプ
１６    ランプケース
１８    ホルダ部材
１８ｉ  調整突起
２０    ベース部材
２２    前面ガラス
３２    板バネ
４０    調整ネジ
【図１】
2005077621.tif 000003
【図２】
2005077621.tif 000004
【図３】
2005077621.tif 000005